(57)【要約】【課題】  分離式クーラーの静音内蔵式自動排水及び不滴水装置の提供。【解決手段】  分離された室外機と室内機、及びこの二つの装置間に設置された排水装置を具え、該排水装置が室外に設置され、室内の干渉騒音を減らし、並びに管路を利用して室内機の発生する凝結水を室外機の貯水タンク内に送り、モータでファンを駆動して回転させ、貯水タンク内の凝結水を冷却装置に送り、冷却効果を高め、並びに凝結廃水を蒸発させる目的を達成する。【選択図】        図１
2006138551.tif 000002
【特許請求の範囲】
【請求項１】
分離式クーラーの静音内蔵式自動排水及び不滴水装置において、室外機と室内機、及び該室外機と室内機の間を接続し冷源を輸送する輸入管と回路管を具え、且つ該室内機内部の蒸発管下方に集水トレイが設けられ、該集水トレイに外向きに延伸された排水管が接続され、該排水管の別端が排水装置に接続され、該排水装置が室内機内の凝結水を室外機内の貯水タンク内に排出するのに供され、
該貯水タンクが室外機内のトレイに設けられ、該室外機のその冷却装置に対応するケース部分に、モータが固定され、該モータの一端にファンが組付けられ、該ファンの回転により発生する排風が外から内に送られ、該ファンの回転の経路が該貯水タンクの水面を通過し、これにより室内機の排出した凝結水が冷却装置方向に吹き送られて、冷却装置により凝結水が蒸発させられ、
該排水装置は室外に設けられ、室内機内の凝結水を外向きに抽出する排水機能を具え、それに少なくとも一つの入口と出口が設けられ、該入口が排水管に接続され、該出口に輸入管に接続されて室内機の排出する凝結水を該貯水タンクに送るのに供され、
これにより、排水装置が室外に設置されて室内に発生する干渉騒音が防止されると共に、凝結水が冷却装置に吹き飛ばされて蒸発させられることで、冷却機能が高められ、自動排水と不滴水の機能も達成することを特徴とする、分離式クーラーの静音内蔵式自動排水及び不滴水装置。
【請求項２】
請求項１記載の分離式クーラーの静音内蔵式自動排水及び不滴水装置において、室内機の集水トレイの一端に導水管が形成され、該導水管に延伸された導水副管が接続され、該導水副管が該排水管の一端に接続されたことを特徴とする、分離式クーラーの静音内蔵式自動排水及び不滴水装置。
【請求項３】
請求項１記載の分離式クーラーの静音内蔵式自動排水及び不滴水装置において、排水装置は装置本体、ピストン装置、及びモータを具え、ピストン装置は装置本体内側の中空の軸動孔部分に嵌合され、膨張オイルシール及びシールカバーで固定され、このモータは該装置本体の一側に組付けられ、且つその伝動棒部分に偏心の駆動軸が嵌合され、駆動軸の別端が該ピストン装置の末端の駆動溝部に嵌合され、モータが回転する時、該ピストン装置が駆動されて軸動孔内で低速高圧のピストン運動を形成し、また、該装置本体内の駆動溝部前端が流道を貫通し、該流道の二端が入口と出口に連通し、該入口と出口は送入接続シートと送出接続シートに一体に形成され、且つ送入接続シートと送出接続シートが装置本体の一側に固定される時、その内側と装置本体の間に弾性シールと弾性部品が組付けられ、ピストン装置がモータに駆動され回転する時、二つの弾性シールがピストン装置の作動に伴い入口と出口に対して一方が開き、一方が閉じる相対運動を形成し、排水管より排水装置を通り排出される凝結水を外向きに排出することを特徴とする、分離式クーラーの静音内蔵式自動排水及び不滴水装置。
【請求項４】
請求項１又は請求項３記載の分離式クーラーの静音内蔵式自動排水及び不滴水装置において、排水装置の二つの対向端にそれぞれ軸動孔が形成され、それぞれピストン装置が取り付けられ、該装置本体の該二つのピストン装置に対応する外端に、送入接続シートと送出接続シートが組付けられ、これにより二つの室内機と組付けられる二つの入口と出口が設けられ、これにより１対２の自動排水機能を達成することを特徴とする、分離式クーラーの静音内蔵式自動排水及び不滴水装置。
【請求項５】
請求項１記載の分離式クーラーの静音内蔵式自動排水及び不滴水装置において、輸入管、回路管、排水管及び管材の外側が、室外陽光の照射より隔離するための隔離層で被覆されたことを特徴とする、分離式クーラーの静音内蔵式自動排水及び不滴水装置。
【請求項６】
請求項１又は請求項３記載の分離式クーラーの静音内蔵式自動排水及び不滴水装置において、排水管と排水装置の間に、別に濾過器が設置されて、該濾過器は上蓋、下蓋、及び上蓋と下蓋の間に設けられたフィルタシートで組成され、該上蓋に上接続管が凸設されて排水管の一端に接続され、下蓋に下接続管が凸設されて、該下接続管と排水装置の入口の間が管体で接続されたことを特徴とする、分離式クーラーの静音内蔵式自動排水及び不滴水装置。
【請求項７】
請求項１又は請求項２記載の分離式クーラーの静音内蔵式自動排水及び不滴水装置において、水位センサが集水トレイに接続された導水副管内に設置され、室内機内に溜まった凝結水がある水位に達した時、該水位センサが検出して排水装置を駆動し、反対に、凝結水の水位が水位センサが設定する水位より低い時は、該排水装置は停止することを特徴とする、分離式クーラーの静音内蔵式自動排水及び不滴水装置。
【請求項８】
請求項１記載の分離式クーラーの静音内蔵式自動排水及び不滴水装置において、室内機内に湿度センサが設けられ、該湿度センサと排水装置の間が感度連動を形成し、即ち室内湿度が設定された数値より低い時、該湿度センサがセンシング作用を発生し、排水装置を通して外に排出される凝結水を、管材を利用して該室内機内に延伸して至らせ、霧状に室内機の蒸発管に噴霧し、室内の湿度調節に用い、反対に室内湿度が設定数値に符合する時、凝結水が外向きに排出されることを特徴とする、分離式クーラーの静音内蔵式自動排水及び不滴水装置。
【発明の詳細な説明】
【技術分野】
【０００１】
本発明は一種の空気調和機の技術領域に係り、特に一種の分離式クーラーの静音及び不滴水機能に対して設計された装置に関する。
【背景技術】
【０００２】
クーラー（空気調和機）は、現在、家庭、オフィス等で配備が必要な家電であり、各種の異なる環境と必要に応じた空気調和機が発展しており、例えば窓取り付け型、分離式及び移動式のものがあり、その原理はいずれも冷却管とヒートパイプの熱交換原理を利用し、冷気送出の効果を達成する。このため使用の過程で冷却管が不断に水分を凝結させ、どのような空気調和機であっても、冷却水排出の設計が必要となる。
【０００３】
そのうち、分離式クーラーに関しては、伝統的な設計によると、室内機の排水装置は直接排水管で排出される。しかし水は下向きに流れるため、使用者は室内機を取り付ける時に、室内機の高さに配慮しなければ、排水管により冷却水を順調に下向きに排出させられず、このため室内機の取り付けは相当に制限され、インテリア設計に影響を与える。且つ排水管も適切に配置しなければ外観を悪くする。このような問題を解決するため、本発明者は特許文献１において、室内機の一側に排水管に接続された貯水箱を設置し、並びに貯水箱内に揚水ポンプ及び水位検出器を設置し、その後、送水管を接続して室外に延伸し、揚水ポンプの運転により排水を排出する構造を提供した。このような設計は、排水管が傾斜させられることで冷却水排水の問題を解決できるが、却って騒音の問題と、室内外観上の問題を形成する。
【０００４】
この周知の技術によると、排水モータは室内機内に取り付けられ、モータが運転する時、多かれ少なかれ騒音を発生し（夜間の静かな時には特に耳障りとなる）、静音を売り物にした分離式クーラーの使用上の欠点の一つを形成する。また、揚水モータは室内に設置され、排水管を室外に延伸できない場合、室内の貯水タンクを設置することになり、外観が悪くなり、管路の配置上も不便である。
【０００５】
次に、環境保護意識の台頭及び法令の制限により、別にいわゆる不滴水の構造、例えば特許文献２、及び特許文献３に記載の構造が提供された。これら二つの周知の構造の技術手段は、導水管路を利用して室内機の発生する凝結水を室外機内に保存し、並びにファンの送風（或いは吸い込み）を利用し、凝結水を冷却端に送り蒸発させ、凝結排水を室外に排出しなくとも凝結水排出の問題を解決できるようにする、というものである。
【０００６】
ただしこの二つの周知の技術は凝結水を順調に室外機内に送るために、組立上、室内機を室外機の上方に設置して凝結水がパイプを通り上から下に集水タンク内に滴下するようにし、集水タンクの凝結水が一定高さに達した時に、ファンの回転により水をはね飛ばすと共に風を利用して冷却端に送らねばならない。この周知の技術は、使用上、不滴水の目的を達成するが、室内機の取り付け上、室外機の上方に設けなければならないため、使用者の取り付け上の制限を形成する。且つ、もし室内機が室内に取り付けられて、室外機取り付けの位置が異なる平面に位置する時、凝結水の輸送は更に不便となる。
【０００７】
また、この二つの周知の技術はファンの送風方向がいずれも窓の外に向けられ、このためファンが吹き送る凝結水が冷却端で蒸発しない時、凝結水はクーラーの風口部分に溜まり、水量が多い時は外向きに滴下する情況が発生し、即ちクーラーの滴水の欠点が発生するため、改善の必要がある。
【０００８】
【特許文献１】台湾特許公告第４４０６７２号明細書
【特許文献２】台湾特許公告第５２１８３１号明細書
【特許文献３】台湾特許公告第５４５５５９号明細書
【発明の開示】
【発明が解決しようとする課題】
【０００９】
本発明の主要な目的は、一種の分離式クーラーの静音内蔵式自動排水及び不滴水装置を提供することにあり、それは、クーラーの凝結水の排出に、不外滴の特徴を具備させるほか、静音と自動排水の機能も具備させる装置であるものとする。
【００１０】
本発明のもう一つの目的は、一種の分離式クーラーの静音内蔵式自動排水及び不滴水装置を提供することにあり、分離式クーラーの室内機と室外機の取り付け上、高さ、位置の問題を考慮する必要がなく、分離式クーラーの取り付けに便利な装置であるものとする。
【００１１】
本発明の分離式クーラーの静音内蔵式自動排水及び不滴水装置は、室外機と室内機、及び排水装置を具えている。該室外機と室内機の間に冷源を輸送する輸入管と回路管が接続され、且つ室内機内部の蒸発管の下方に集水トレイが設けられ、該集水トレイに外向きに延伸された排水管が接続され、該排水管の別端が該排水装置に接続され、室内機内の凝結水を室外機内の貯水タンクに送るのに供される。該貯水タンクは室外機内のトレイに設けられ、また、室外機のその冷却装置の外側に対応する部分に、外から内にモータが固定され、該モータの伝動軸にファンが組付けられ、該ファンの回転により発生する風が外から内に送られ、並びにファンの回転の経路が該貯水タンクの内側を通過し、これにより室内機の排出する冷却水が冷却装置方向に吹き送られ、冷却装置が凝結水を蒸発させる。該排水装置は室外に設けられ、室内機内の凝結水を外向きに抽出する排水機能を有し、それに少なくとも入口と出口が設けられ、該入口は排水管に接続され、出口に管材が設けられて室内機が排出する凝結水を該貯水タンク内に排出する。
【００１２】
これにより、排水装置が室外に設けられたことにより、室内に発生する干渉騒音が防止され、また、凝結水が該冷却装置部分に吹き送られて廃水蒸発の目的が達成され、冷却効果が高められるのみならず、自動排水と不滴水の効果が達成される。
【課題を解決するための手段】
【００１３】
請求項１の発明は、分離式クーラーの静音内蔵式自動排水及び不滴水装置において、室外機と室内機、及び該室外機と室内機の間を接続し冷源を輸送する輸入管と回路管を具え、且つ該室内機内部の蒸発管下方に集水トレイが設けられ、該集水トレイに外向きに延伸された排水管が接続され、該排水管の別端が排水装置に接続され、該排水装置が室内機内の凝結水を室外機内の貯水タンク内に排出するのに供され、
該貯水タンクが室外機内のトレイに設けられ、該室外機のその冷却装置に対応するケース部分に、モータが固定され、該モータの一端にファンが組付けられ、該ファンの回転により発生する排風が外から内に送られ、該ファンの回転の経路が該貯水タンクの水面を通過し、これにより室内機の排出した凝結水が冷却装置方向に吹き送られて、冷却装置により凝結水が蒸発させられ、
該排水装置は室外に設けられ、室内機内の凝結水を外向きに抽出する排水機能を具え、それに少なくとも一つの入口と出口が設けられ、該入口が排水管に接続され、該出口に輸入管に接続されて室内機の排出する凝結水を該貯水タンクに送るのに供され、
これにより、排水装置が室外に設置されて室内に発生する干渉騒音が防止されると共に、凝結水が冷却装置に吹き飛ばされて蒸発させられることで、冷却機能が高められ、自動排水と不滴水の機能も達成することを特徴とする、分離式クーラーの静音内蔵式自動排水及び不滴水装置としている。
請求項２の発明は、請求項１記載の分離式クーラーの静音内蔵式自動排水及び不滴水装置において、室内機の集水トレイの一端に導水管が形成され、該導水管に延伸された導水副管が接続され、該導水副管が該排水管の一端に接続されたことを特徴とする、分離式クーラーの静音内蔵式自動排水及び不滴水装置としている。
請求項３の発明は、請求項１記載の分離式クーラーの静音内蔵式自動排水及び不滴水装置において、排水装置は装置本体、ピストン装置、及びモータを具え、ピストン装置は装置本体内側の中空の軸動孔部分に嵌合され、膨張オイルシール及びシールカバーで固定され、このモータは該装置本体の一側に組付けられ、且つその伝動棒部分に偏心の駆動軸が嵌合され、駆動軸の別端が該ピストン装置の末端の駆動溝部に嵌合され、モータが回転する時、該ピストン装置が駆動されて軸動孔内で低速高圧のピストン運動を形成し、また、該装置本体内の駆動溝部前端が流道を貫通し、該流道の二端が入口と出口に連通し、該入口と出口は送入接続シートと送出接続シートに一体に形成され、且つ送入接続シートと送出接続シートが装置本体の一側に固定される時、その内側と装置本体の間に弾性シールと弾性部品が組付けられ、ピストン装置がモータに駆動され回転する時、二つの弾性シールがピストン装置の作動に伴い入口と出口に対して一方が開き、一方が閉じる相対運動を形成し、排水管より排水装置を通り排出される凝結水を外向きに排出することを特徴とする、分離式クーラーの静音内蔵式自動排水及び不滴水装置としている。
請求項４の発明は、請求項１又は請求項３記載の分離式クーラーの静音内蔵式自動排水及び不滴水装置において、排水装置の二つの対向端にそれぞれ軸動孔が形成され、それぞれピストン装置が取り付けられ、該装置本体の該二つのピストン装置に対応する外端に、送入接続シートと送出接続シートが組付けられ、これにより二つの室内機と組付けられる二つの入口と出口が設けられ、これにより１対２の自動排水機能を達成することを特徴とする、分離式クーラーの静音内蔵式自動排水及び不滴水装置としている。
請求項５の発明は、請求項１記載の分離式クーラーの静音内蔵式自動排水及び不滴水装置において、輸入管、回路管、排水管及び管材の外側が、室外陽光の照射より隔離するための隔離層で被覆されたことを特徴とする、分離式クーラーの静音内蔵式自動排水及び不滴水装置としている。
請求項６の発明は、請求項１又は請求項３記載の分離式クーラーの静音内蔵式自動排水及び不滴水装置において、排水管と排水装置の間に、別に濾過器が設置されて、該濾過器は上蓋、下蓋、及び上蓋と下蓋の間に設けられたフィルタシートで組成され、該上蓋に上接続管が凸設されて排水管の一端に接続され、下蓋に下接続管が凸設されて、該下接続管と排水装置の入口の間が管体で接続されたことを特徴とする、分離式クーラーの静音内蔵式自動排水及び不滴水装置としている。
請求項７の発明は、請求項１又は請求項２記載の分離式クーラーの静音内蔵式自動排水及び不滴水装置において、水位センサが集水トレイに接続された導水副管内に設置され、室内機内に溜まった凝結水がある水位に達した時、該水位センサが検出して排水装置を駆動し、反対に、凝結水の水位が水位センサが設定する水位より低い時は、該排水装置は停止することを特徴とする、分離式クーラーの静音内蔵式自動排水及び不滴水装置としている。
請求項８の発明は、請求項１記載の分離式クーラーの静音内蔵式自動排水及び不滴水装置において、室内機内に湿度センサが設けられ、該湿度センサと排水装置の間が感度連動を形成し、即ち室内湿度が設定された数値より低い時、該湿度センサがセンシング作用を発生し、排水装置を通して外に排出される凝結水を、管材を利用して該室内機内に延伸して至らせ、霧状に室内機の蒸発管に噴霧し、室内の湿度調節に用い、反対に室内湿度が設定数値に符合する時、凝結水が外向きに排出されることを特徴とする、分離式クーラーの静音内蔵式自動排水及び不滴水装置としている。
【発明の効果】
【００１４】
本発明は、分離された室外機と室内機、及びこの二つの装置間に設置された排水装置を具え、該排水装置が室外に設置され、室内の干渉騒音を減らし、並びに管路を利用して室内機の発生する凝結水を室外機の貯水タンク内に送り、モータでファンを駆動して回転させ、貯水タンク内の凝結水を冷却装置に送り、冷却効果を高め、並びに凝結廃水を蒸発させる目的を達成する。
【発明を実施するための最良の形態】
【００１５】
図１から図１０に示されるように、本発明の分離式クーラーの静音内蔵式自動排水及び不滴水装置は、室外機１０、室内機２０、及び排水装置３０を具えている。
【００１６】
該室外機１０は、トレイ１１１、外ネットカバー１１２及びカバー１１３で構成されたケース１１内に、冷却装置９１等の部品で組成された圧縮機システム９０が設けられ、並びにトレイ１１１にあって該冷却装置９１に対応する部分に内向きに凹んだ貯水タンク１２が設けられ、更に、ケースにモータ１３が設けられ、該モータ１３の一端の伝動軸１３１にファン１４が組付けられ、該ファン１４の内壁に複数の羽根１４１が凸設され、該モータ１３が運転する時、発生する風はケースの外から内に送られ、また該ファン１４が回転する経路が該貯水タンク１２の水面を通過し、凝結水を撥ね飛ばし、並びに冷却装置９１の方向に吹き送る。
【００１７】
該室内機２０の構造は周知のものとほぼ同じであり、内部の蒸発管２１の下方に集水トレイ２２がモータ１３、該集水トレイ２２に導水管２２１が凸設され、該導水管２２１の端部に延伸された導水副管２２２が接続され、該導水副管２２２の外端に更に外向きに延伸された排水管４３が接続されて、室内機２０が発生した凝結水を室外機１０内の貯水タンク１２に送る。水位センサ６０は該集水トレイ２２に接続された導水副管２２２内に設置され、室内機２０内に溜まった凝結水がある水位に達した時、該水位センサ６０が検出して排水装置３０を駆動し、反対に、凝結水の水位が水位センサ６０が設定する水位より低い時は、該排水装置３０は運転しない。このほか、室外機１０と室内機２０の間に別に冷媒を輸送する輸入管４１及び回路管４２が接続されている。
【００１８】
該排水装置３０は屋外に設置されるか、室外機１０内に設置され、該室内機２０内に発生した凝結水を外向きに抽出する排水機能を具えている。該排水装置３０は装置本体３１、ピストン装置３２、及びモータ３３を具えている。
【００１９】
該装置本体３１は長方形の幾何形機体とされ、その一端内側に中空の軸動孔３１１が設けられ、ピストン装置３２の一端がそれを貫通し、且つ軸動孔３１１は装置本体３１の外側を貫通する流道３１２と連通し、該流道３１２が開放形態で該装置本体３１の二側に設けられ、これにより送入接続シート３４及び送出接続シート３５がそれぞれ装置本体３１の流道３１２の二端開口部分に固定され、且つ該送入接続シート３４、送出接続シート３５の内側と装置本体３１の間に、それぞれ弾性シール３９１と弾性部品３９２が組付けられている。そのうち、送入接続シート３４に入口３４１が成形され、排水管４３の一端が接続され、送出接続シート３５に室内機２０の発生する凝結水を外向きに排出するための出口３５１が凸設されている。
【００２０】
該ピストン装置３２は略Ｔ形を呈し、その長軸棒の一端は軸動孔３１１内に挿入され、別端は拡張されて楕円孔状の駆動溝部３２１が形成されてモータ３３の伝動の一端の接続、位置決めに供される。
【００２１】
該モータ３３は一般のモータ部品であり、それは該装置本体３１の外側部分に組付けられ、且つその外向きに動力を伝動する伝動棒３３１に偏心の駆動軸３６が嵌合され、更に該駆動軸３６の別端に、ピストン装置３２の駆動溝部３２１が組付けられ、該モータ３３が運転する時、該ピストン装置３２が駆動されて軸動孔３１１内で低速高圧のピストン運動を行なう。
【００２２】
以上の部品により、該ピストン装置３２が装置本体３１内に設置され、更に膨張オイルシール３７及びシールカバー３８で固定され、モータ３３が装置本体３１の一側に組付けられる。ピストン装置３２がモータ３３に駆動される時、二つの弾性シール３９１がピストン装置３２の伸縮動作に伴い、入口３４１、出口３５１に対して開閉の動作を形成し、これにより排水管４３より輸送されて排水装置３０により排出される凝結水は、室外機１０内の貯水タンク１２部分に送られる。該排水装置３０が運転する時、凝結水が貯水タンク１２に送られると同時に、ファン１４が同期に起動されたモータ１３により駆動されて回転し、ファン１４が回転する時、凝結水が飛び散り、更に送られる風により冷却装置９１に送られ、凝結水が蒸発する。
【００２３】
更に説明すると、本発明のモータ１３がファン１４を駆動してファン１４が回転する時に発生する排風効果は、室外機１０のケース外側より内側に送風され、更に壁に対向する別端のケース外側より外向きに排出され、こうして、水気或いは水分が冷却装置９１により蒸発して外向きに放出される時、室外機１０の外側に予期せぬ水滴滴下の情況が発生しない。
【００２４】
更に図９、１０に示されるように、本発明の排水装置３０は構造設計上、排水運転の安定性が高いのみならず、それが発生し凝結水を抽出する効率が高く、確実であり、ピストン装置３２がモータ３３の駆動を受けて凝結水を抽出する時、送入接続シート３４の一側の弾性シール３９１はピストン装置３２の動作により開放状態を呈し、また送出接続シート３５の一側に位置する弾性シール３９１は閉じた状態を呈し（図９）、この時、室内機２０内の凝結水は排水装置３０の抽出を受けて入口３４１部分に流動する。更にピストン装置３２の動作に伴い、送入接続シート３４の一側の弾性シール３９１が閉じた状態となり、また送出接続シート３５の一側の弾性シール３９１が開放状態となり（図１０）、流道３１２部分に位置する凝結水は出口３５１より外向きに排出され、更に出口３５１部分に組付けられた管材４５を通り室外機１０内の貯水タンク１２部分に到る。排水装置３０が凝結水を該貯水タンク１２内に送ると同時に、該ファン１４がモータ１３に駆動されて回転し、ファン１４が回転する時、凝結水が飛び散り、更に送られる風により冷却装置９１に至り、凝結水が蒸発する。
【００２５】
次に、図１１〜図１３に示されるように、本発明の使用の品質を安定させるため、該排水管４３と排水装置３０の間に、別に濾過器５０が設置されて、該排水装置３０を通り外向きに排出される凝結水を濾過し、該濾過器５０は上蓋５１、下蓋５２、及び上蓋５１と下蓋５２の間に設けられたフィルタシート５３で組成され、そのうち、該上蓋５１に上接続管５１１が凸設されて排水管４３の一端に接続され、下蓋５２に下接続管５２１が凸設されて、管体５４を利用し該下接続管５２１と排水装置３０の入口３４１の間が接続される。
【００２６】
更に、図１４から図１６に示されるように、本発明の排水装置３０は設計変化上、二つの室内機２０と排水機能を形成する組合せ形態も可能で、これにより一対二の自動排水機能を達成できる。図示されるように、該装置本体３１の二つの対向端の軸動孔３１１部分にそれぞれピストン装置３２が設けられ、また装置本体３１の該二つのピストン装置３２に対応する外端に、送入接続シート３４と送出接続シート３５が設けられ、これにより二つの室内機２０を接続する二つの入口３４１及び出口３５１が設けられる。これにより、更に凝結水を輸送する管路が接続されて、一つの排水装置３０で二つの室内機２０の排水の機能が達成される。
【００２７】
このほか、更に図１に示されるように、本発明は冷媒或いは凝結水を輸送する輸入管４１、回路管４２、排水管４３或いは管材４５等の管体に、日光の照射による苔の発生や冷源の損失等の欠点が発生するのを防止するため、これら管体外側が更に隔離層８１で被覆され、室外陽光の照射より隔離される。
【図面の簡単な説明】
【００２８】
【図１】本発明の全体組合せ表示図である（排水装置が室外機内に設けられている。）。
【図２】本発明の第２の実施設計の全体組合せ表示図である（排水装置が室外に設けられている。）。
【図３】本発明の室内機内部構造表示図である。
【図４】本発明の室外機の立体分解図である。
【図５】本発明の室外機の組合せ断面図である。
【図６】本発明の室外機のもう一つの組合せ断面図である。
【図７】本発明の排水装置の組合せ外観図である。
【図８】本発明の排水装置の立体分解図である。
【図９】本発明の排水装置の組合せ断面及び動作表示図である（送入接続シートの一側の弾性シールが開放状態を呈する）。
【図１０】本発明の排水装置の組合せ断面及び動作表示図である（送出接続シートの一側の弾性シールが開放状態を呈する）。
【図１１】本発明の濾過器の組合せ外観図である。
【図１２】本発明の濾過器の立体分解図である。
【図１３】本発明の濾過器を組み合わせた実施例の表示図である。
【図１４】本発明の排水装置の第２実施例の立体分解図である。
【図１５】本発明の排水装置の第２実施例の組合せ断面図である。
【図１６】本発明の排水装置の第２実施例の組合せ取り付け表示図である。
【符号の説明】
【００２９】
１０  室外機              １１  ケース
１１１  トレイ            １１２  外ネットカバー
１１３  カバー            １２  貯水タンク
１３  モータ              １４  ファン
１４１  羽根              ２０  室内機
２１  蒸発管              ２２  集水トレイ
２２１  導水管            ２２２  導水副管
３０  排水装置            ３１  装置本体
３１１  軸動孔            ３１２  流道
３２  ピストン装置        ３２１  駆動溝部
３３  モータ              ３３１  伝動棒
３４  送入接続シート      ３４１  入口
３５  送出接続シート      ３５１  出口
３６  駆動軸              ３７  膨張オイルシール
３８  シールカバー        ３９１  弾性シール
３９２  弾性部品          ４１  輸入管
４２  回路管              ４３  排水管
４５  管材                ５０  濾過器
５１  上蓋                ５１１  上接続管
５２  下蓋                ５２１  下接続管
５３  フィルタシート      ５４  管体
６０  水位センサ          ７０  湿度センサ
８１  隔離層              ９０  圧縮機システム
９１  冷却装置
【図１】
2006138551.tif 000003
【図２】
2006138551.tif 000004
【図３】
2006138551.tif 000005
【図４】
2006138551.tif 000006
【図５】
2006138551.tif 000007
【図６】
2006138551.tif 000008
【図７】
2006138551.tif 000009
【図８】
2006138551.tif 000010
【図９】
2006138551.tif 000011
【図１０】
2006138551.tif 000012
【図１１】
2006138551.tif 000013
【図１２】
2006138551.tif 000014
【図１３】
2006138551.tif 000015
【図１４】
2006138551.tif 000016
【図１５】
2006138551.tif 000017
【図１６】
2006138551.tif 000018